(57)【特許請求の範囲】
【請求項１】
前端開口のヘッドケーシング(1)内に、板状の赤外線ヒータ(4)と、同ヒータ(4)を囲繞する截頭椀状の金属製の反射板(5)とを取付け、前記赤外線ヒータ(4)の後方に補助ヒータ(7)とファン(8)とを配設した赤外線治療器において、
前記補助ヒータ(7)を金属製の遮熱ケーシング(70)で囲繞し、この遮熱ケーシング(70)を合成樹脂製の筒状ユニットケーシング(E)に嵌挿するとともに、前記赤外線ヒータ(4)とヘッドケーシング(1)との間に緩衝部(D)を介設し、
この緩衝部(D)は、前記筒状ユニットケーシング(E)に取付けられた金属製の環状固定板(17)に、前記赤外線ヒータ(4)の取付軸を挿入固定する取付孔(90)を設けた片持ち支持の３個の緩衝用突片(9)を内周縁から中心に向けて連設するとともに、前記取付孔(90)に筒状の緩衝部材(91)を取付けて構成し、しかも、合成樹脂製の前記筒状ユニットケーシング(E)によって、金属製同士の前記反射板(5)と前記環状固定板(17)及び遮熱ケーシング(70)とを分離させたことを特徴とする赤外線治療器。
【請求項２】
前記環状固定板(17)に、温度過昇防止手段を取付けるための取付面(60a)を前記赤外線ヒータ(4)側に膨出させた取付板(60)を配設したことを特徴とする請求項１記載の赤外線治療器。
【発明の詳細な説明】
【０００１】
【発明の属する技術分野】
本発明は、温熱効果で筋肉のこりをほぐすことのできる赤外線治療器に関するものである。
【０００２】
【従来の技術】
従来、温熱効果で筋肉のこりをほぐすことのできる赤外線治療器を家庭内で簡易に使用できるようにしたものがあり、その一般的な構造としては、一端開口に形成したヘッドケーシング内に赤外線、特に遠赤外線を放射する赤外線ヒータを収容配設したものが知られている。
【０００３】
かかる赤外線ヒータは、ステンレス板やアルミニウム板にセラミックスを塗布焼成した赤外線プレートにヒータ基板を装着した構成が一般的である。
【０００４】
【発明が解決しようとする課題】
ところが、上記した赤外線治療器は、未だ、以下の解決すべき課題を有していた。
【０００５】
すなわち、上記したように、赤外線ヒータはセラミックスを塗布焼成したプレート状となっているので、例えば、転倒させたり落下させたりした場合の衝撃により、表面にクラックが生じたりするおそれがあった。
【０００６】
本発明は、上記した課題を解決することができる赤外線治療器を提供することを目的としている。
【０００７】
【課題を解決するための手段】
上記課題を解決するために、本発明は、前端開口のヘッドケーシング内に、板状の赤外線ヒータと、同ヒータを囲繞する截頭椀状の金属製の反射板とを取付け、前記赤外線ヒータの後方に補助ヒータとファンとを配設した赤外線治療器において、前記補助ヒータを金属製の遮熱ケーシングで囲繞し、この遮熱ケーシングを合成樹脂製の筒状ユニットケーシングに嵌挿するとともに、前記赤外線ヒータとヘッドケーシングとの間に緩衝部を介設し、この緩衝部は、前記筒状ユニットケーシングに取付けられた金属製の環状固定板に、前記赤外線ヒータの取付軸を挿入固定する取付孔を設けた片持ち支持の３個の緩衝用突片を内周縁から中心に向けて連設するとともに、前記取付孔に筒状の緩衝部材を取付けて構成し、しかも、合成樹脂製の前記筒状ユニットケーシングによって、金属製同士の前記反射板と前記環状固定板及び遮熱ケーシングとを分離させた。
【０００８】
また、前記環状固定板に、温度過昇防止手段を取付けるための取付面を前記赤外線ヒータ側に膨出させた取付板を配設したことにも特徴を有する。
【０００９】
【発明の実施の形態】
本発明に係る赤外線治療器は、前端開口のヘッドケーシング内に、板状の赤外線ヒータと、同ヒータを囲繞する截頭椀状の金属製の反射板とを取付け、前記赤外線ヒータの後方に補助ヒータとファンとを配設した赤外線治療器において、前記補助ヒータを金属製の遮熱ケーシングで囲繞し、この遮熱ケーシングを合成樹脂製の筒状ユニットケーシングに嵌挿するとともに、前記赤外線ヒータとヘッドケーシングとの間に緩衝部を介設し、この緩衝部は、前記筒状ユニットケーシングに取付けられた金属製の環状固定板に、前記赤外線ヒータの取付軸を挿入固定する取付孔を設けた片持ち支持の３個の緩衝用突片を内周縁から中心に向けて連設するとともに、前記取付孔に筒状の緩衝部材を取付けて構成し、しかも、合成樹脂製の前記筒状ユニットケーシングによって、金属製同士の前記反射板と前記環状固定板及び遮熱ケーシングとを分離させたものである。
【００１０】
赤外線ヒータとしては、ヒータ基板を一対のマイカ板間に挟持したものを、ステンレスやアルミニウム等の金属板にセラミックスを塗布焼成した赤外線プレートと、取付軸を設けたバックプレートとの間に挟持させた構造の面状ヒータとしており、前記緩衝部は、赤外線ヒータの前記取付軸を固着可能に形成した片持ち支持の緩衝用突片を具備する構成として、同緩衝用突片の撓みによって衝撃を吸収可能としている。
【００１１】
また、前記緩衝部を、赤外線ヒータの取付軸を固着可能とした複数の緩衝用突片を内側に向けて連設した環状固定板により構成するとともに、同環状固定板を、ヘッドケーシング内に着脱自在に配設した樹脂製の筒状ユニットケーシングに着脱自在に取付け、さらに、前記環状固定板に、温度過昇防止手段を保持する取付板を配設した構成としている。
【００１２】
このように、赤外線ヒータ、緩衝部、温度過昇防止手段を保持する取付板を筒状ユニットケーシングに一体的に取付けることにより、これらをヘッドケーシング内にユニット化して収納配設することができる。したがって、従来、個別にヘッドケーシングに取付けていたものをユニットとして容易に組み込むことが可能となり、製造工程の合理化を図ることができる。
【００１３】
さらに、上記ヘッドケーシング内に、補助ヒータとファンとを赤外線ヒータの後方に配設して、ファンの回転により赤外線治療器の立上直後から温風を患部に送風可能とし、患部を即座に温め、しかも、治療中の間、絶えず温風を患部に当てて使用感を向上させることができる。
【００１４】
そして、この場合、補助ヒータを遮熱ケーシングで囲繞し、同遮熱ケーシングを前記筒状ユニットケーシング嵌挿することにより、補助ヒータ、及び、同補助ヒータに連設されるファンまでもユニット化することが可能となる。
【００１５】
また、前記環状固定板は赤外線ヒータに近接しているために耐熱性を考慮して金属製とすることが好ましく、また、これに配設した取付板も同様に金属製としている。
【００１６】
しかも、かかる取付板は、温度過昇防止手段を取付けるための取付面を赤外線ヒータ側に膨出させることが好ましい。
【００１７】
温度過昇防止手段としては、例えば、バイメタルや、サーモスタット及び温度ヒューズ等があるが、ここでは、赤外線ヒータ側に膨出させた前記取付面に温度ヒューズを取付けている。
【００１８】
したがって、温度ヒューズを赤外線ヒータに可及的に近接させた状態で配設して同ヒータの温度過昇に確実に反応させることができ、安全性を向上させることができるとともに、取付板を配設した環状固定板は赤外線ヒータから可及的に遠ざけることが可能となる。しかも、取付面を膨出させた分だけその背面部の空間が広がるので、かかる空間内に赤外線ヒータからの配線等を通すことができ、ヘッドケーシングの限られた空間を有効に利用できることから、赤外線治療器全体のコンパクト化を図ることができる。
【００１９】
また、緩衝機能をより向上させるために、前記緩衝用突片に筒状の緩衝部材を設けており、緩衝部材としてはシリコンが好適に用いられるが、例えば、発泡シリコン、耐熱樹脂、碍子、あるいは不織布なども使用することができ、緩衝機能を果たすものであればその材質を限定する必要はない。
【００２０】
このように、本発明に係る赤外線治療器では、同赤外線治療器を誤って転倒、落下させたりした場合でも、緩衝部により赤外線ヒータに衝撃が伝わることを可及的に防止でき、同ヒータのセラミックス部分にクラックが生じたりすることを防止することができる。しかも、樹脂製の筒状ユニットケーシングによって、金属製同士の反射板と前記環状固定板及び遮熱ケーシングとが分離されることになるのでそれぞれが絶縁され、例えば、赤外線ヒータや補助ヒータが漏電したりしても外部から手が触れやすい反射板には通電されず安全性が向上する。
【００２１】
また、緩衝部に緩衝部材を設けた場合、同緩衝部材の熱伝導率が低いことから赤外線ヒータの熱がヘッドケーシングやその他の部品に伝わることも防止でき、熱による変形などを防止できる。
【００２２】
【実施例】
以下、添付図に示す実施例に基づいて、本発明を具体的に説明する。
【００２３】
図１に示すように、本発明に係る赤外線治療器Ａは、ヘッドケーシング１に把持部２を取付けたハンディタイプの治療器本体A1と、同治療器本体A1を保持可能としたスタンド３とからなり、同スタンド３に突設した支持用筒部30に前記把持部２を挿通することにより載置可能となっている。
【００２４】
把持部２は、図１〜図３に示すように、ヘッドケーシング１に形成した取付用枢支部1aに枢支されて折畳自在となっており、同把持部２の下端からは電源コードＣが伸延している。2aは取付用枢支部1aに嵌合する枢支軸である。なお、スタンド３の支持用筒部30には、前記電源コードＣを逃がすためのスリット31を形成している。
【００２５】
また、図３に示すように、把持部２の前側部には、入切兼用タイマースイッチ10、及び、LED 表示式のタイマー表示部11を有する操作部Ｂを設け、好みの設定時間を選択して赤外線治療を行えるようにしている。このように把持部２に操作部Ｂを設けたことにより操作性が良好となっている。
【００２６】
ヘッドケーシング１は、図３に示すように、一対の半割りケーシング1b,1b を接合したもので、中央部から前端部にかけて漸次拡径した前後端開口の筒状に形成されており、前端開口部12及び後端開口部13には蜘蛛の巣状の前側カバー体14、メッシュ状の後側カバー体15をそれぞれ装着している。15a は後側カバー体15を押さえるためのリング、16は前側カバー体14を具備し、ヘッドケーシング１の前端開口部12に着脱自在に取付けたキャップである。
【００２７】
また、ヘッドケーシング１の内部には、図２及び図３に示すように、前側から順に、赤外線を放射するための赤外線ヒータ４、同ヒータ４を囲繞する截頭椀状の反射板５、通電後直ちに発熱可能とした補助ヒータ７、前端開口部12から患部に向けて温風を送るためのファン８をそれぞれ配設している。80は筒状に形成したファンケース、81はファン駆動軸、82は同ファン駆動軸81と連動連結したファンモータである。
【００２８】
なお、ファン８については、本実施例では軸流ファンとしているがシロッコファンなどを使用することもできる。
【００２９】
赤外線ヒータ４は、図３に示すように、取付軸であるねじ体41a を突設した円形のバックプレート41に、ステンレスやアルミニウム等の金属板にセラミックスを塗布焼成した円形の赤外線プレート40を取付けて構成されており、同赤外線プレート40とバックプレート41との間に、マイカ板42,42 により挟持されたヒータ基板43を介設している。40a は赤外線プレート40の周縁に形成してバックプレート41への取付片、43a はニクロムヒータ線である。
【００３０】
また、赤外線プレート40は、図２に示すように、赤外線放射方向に向けて前面を凹状に湾曲形成して、遠赤外線を患部に集中させて治療効果をより良好にしている。
【００３１】
上記赤外線ヒータ４は、ステンレスやアルミニウム等の金属板を截頭椀状に形成した反射板５により囲繞されており、同反射板５は、先端周縁を上記したキャップ16と前端開口部12との間に挟着されている。
【００３２】
なお、赤外線ヒータ４としては、上記構成におけるヒータ基板43及びニクロムヒータ線43a のみで構成することもでき、これに赤外線放射体としての粉抹、例えば、珪酸塩を主材として焼結し、粉砕して得られたものをバインダーを介しての吹付けやディッピング等の方法で被覆したものとしてもよい。
【００３３】
補助ヒータ７は、通電直後から発熱する剥き出しのヒータ線を用いており、図２及び図３に示すように、二枚の基板を断面視十字状に組み合わせてなるコイル基板71にコイル状のヒータ線を巻回して構成し、前記赤外線ヒータ４よりも小径とした金属性の筒状の遮熱ケーシング70で囲繞し、補助ヒータ７の熱が直接ヘッドケーシング１に伝わらないようにしている。
【００３４】
また、前記コイル基板71に設けたモータ収納部71a にファン８のファンモータ81の後半部を収納配設するとともに、前半部をファンケース80の中心部に設けたモータ保持筒80a で保持することにより、補助ヒータ７とファン８とを連設している。80b はモータ保持筒支持板である。
【００３５】
このように、本実施例に係る赤外線治療器Ａは、ファン８の回転により赤外線治療器Ａの立上直後から温風を患部に送風可能となり、患部を即座に温め、しかも、治療中の間、絶えず温風を患部に当てることできるので、使用感が向上するものである。
【００３６】
かかる赤外線治療器Ａにおいて、本発明では、前記赤外線ヒータ４とヘッドケーシング１との間に緩衝部Ｄを介設したことに特徴がある。
【００３７】
すなわち、緩衝部Ｄは、図２及び図３に示すように、赤外線ヒータ４のねじ体41a を挿入固定する取付孔90を設けた片持ち支持の緩衝用突片９を具備する構成とし、同緩衝用突片９の撓みによって衝撃を吸収可能としたもので、簡単な構成で有効な衝撃緩和機能を果たせるようにしている。本実施例では、同緩衝用突片９を内側に向けて複数個連設した環状固定板17により構成している。
【００３８】
環状固定板17は耐熱性を考慮して金属製としており、環状部17a の内周縁から中心に向けて３個の緩衝用突片９を突設して形成し、前記環状部17a をヘッドケーシング１内に着脱自在に配設した筒状ユニットケーシングＥの前部開口に着脱自在に取付けている。
【００３９】
筒状ユニットケーシングＥは耐熱性の合成樹脂で一体形成されており、前側短筒部E1の後部開口の周縁に沿って、環状固定板受用周面E2を形成するとともに、同周面E2の前方に環状固定板17の厚みよりもわずかに大きな間隙を開けて環状固定板17を保持する挟持爪E3を内側に向けて突設している。そして、同挟持爪E3と前記環状固定板受用周面E2との間で、環状固定板17の環状部17a の外周縁に形成した係合凸片17b を重合状態に係合させるようにしている。
【００４０】
さらに、前側短筒部E1の後部外周に係合用フランジE4を形成し、ヘッドケーシング１を構成する一対の半割りケーシング1b,1b にそれぞれ形成したリブ1cに係合させて前後方向の位置規制をしている。
【００４１】
また、前記環状固定板受用周面E2の裏面には、遮熱ケーシング嵌合片E5を後方へ突出させて周設しており、前記補助ヒータ７を収納した遮熱ケーシング70の前端を嵌挿可能としている。
【００４２】
このように、上記構成の筒状ユニットケーシングＥを介することによって、赤外線ヒータ４、緩衝部Ｄ、さらに、補助ヒータ７及び同補助ヒータ７に連設したファン８までをユニット化してヘッドケーシング１内に一体的に収納配設できるようにし、従来、個別にヘッドケーシングに取付けていたものをユニットとして容易に組み込むことにより製造工程の合理化を図っている。
【００４３】
しかも、例えば、反射板５が金属製であった場合に、かかる合成樹脂製の筒状ユニットケーシングＥによって、金属製同士の同反射板５と前記環状固定板17及び遮熱ケーシング70とが分離されることになるのでそれぞれが確実に絶縁され、例えば、赤外線ヒータ７や補助ヒータ７が漏電したりしても外部から手が触れやすい反射板５には通電されず安全性が向上する。
【００４４】
また、本実施例では、緩衝機能をより向上させるために、前記緩衝用突片９の取付孔90に、シリコン製の筒状の緩衝部材91を取付けている。そして、かかる緩衝部材91によって、衝撃をより確実に吸収できるとともに、熱伝導率が低い素材であることから赤外線ヒータ４の熱がヘッドケーシング１や筒状ユニットケーシングＥ等のその他の部品に伝わることも防止できるようにし、さらには、絶縁性をより向上させている。
【００４５】
なお、緩衝部材91としては前記シリコンに代えて発泡シリコンを使用すればクッション性が向上し、熱伝導率もさらに低くなるので熱伝導の点においても優るものとなる。また、シリコンの他、例えば耐熱樹脂、碍子などを筒状に形成して使用してもよく、緩衝機能を果たすものであればその材質を限定するものではない。
【００４６】
さらに、環状固定板17には、温度過昇防止手段の一つである温度ヒューズ63を保持する取付板60を配設しており、同取付板60は、温度ヒューズ63を取付けるための取付面60a を赤外線ヒータ４側に膨出させている。60b は取付面60a を膨出させるように後方へ突設した脚片である。
【００４７】
したがって、温度ヒューズ63を赤外線ヒータ４に可及的に近接させた状態で配設でき、赤外線ヒータ４の温度過昇に確実に反応させることができるので極めて安全となっている。例えば、髪の毛の巻き付き等でファンモータ82がロック状態となって異常温度になったとしても、温度ヒューズ63をただちに作動させることができる。
【００４８】
また、かかる取付板60を配設した環状固定板17は赤外線ヒータ４から可及的に遠ざけることによって、これに熱が伝わりにくくすることができる。
【００４９】
さらに、取付面60a を膨出させた分だけその背面部の空間が広がるので、かかる空間内に赤外線ヒータ４からの配線等を通すことができ、ヘッドケーシング１内の限られた空間を有効に利用できることから、赤外線治療器Ａ全体のコンパクト化を図ることができる。63a はステンレス等の金属製のヒューズ取付具、63b は取付ビスである。
【００５０】
なお、本実施例における温度過昇防止手段としては、上記温度ヒューズ63の他に補助ヒータ７に設けたサーモスタット62がある。
【００５１】
以上説明してきたように、本発明に係る赤外線治療器Ａでは、赤外線ヒータ４とヘッドケーシング１との間に緩衝部Ｄを介設しているので、使用中に誤って治療器本体A1を落としたりしても、その衝撃が緩衝部Ｄにより吸収されて赤外線ヒータ４が保護され、同ヒータ４のセラミックスなどにクラックが生じたりすることがない。
【００５２】
図４及び図５に、緩衝部Ｄの他の実施例を示している。
【００５３】
図４に示したものは、緩衝用突片９をヘッドケーシング１の内周壁に突設したもので、しかも、これを垂直突片9aと水平突片9bとから断面視Ｌ字形状に形成して、赤外線ヒータ４の取付軸を水平突片9bに連結している。
【００５４】
かかる構成では、例えばヘッドケーシング１に衝撃が加わった場合、緩衝用突片９によりＸ方向成分及びＹ方向成分の振動を吸収することができ、赤外線ヒータ４へ衝撃が直接的に伝わることを防止できる。なお、この実施例では反射板５を省略した形状としている。
【００５５】
図５に示したものは、緩衝用突片９を反射板５の後端縁部から突設して形成したものであり、同緩衝用突片９に、緩衝用部材91を介して赤外線ヒータ４の取付軸を連結している。なお、この実施例では、補助ヒータ７及びファン８を省略したものとし、ヘッドケーシング１を碗状のものとした。
【００５６】
また、図６に示したものは、把持部２の下端にクリップ2bを連設したものであり、かかる構成とすれば、クリップ2bによりテーブル等の縁やその他載置しにくい個所に挟持して保持させて使用することができる。図６中、2cは操作用把持部、2dは滑り止めを内側に形成した挟持部、2eは枢軸である。
【００５７】
ところで、上記した各実施例においては、いずれも、ヘッドケーシング１とスタンド３とを別体としたもので説明したが、両者を一体的に連設した据え置きタイプのものであっても本発明の適用は可能である。
【００５８】
【発明の効果】
以上説明してきたように、本発明では以下の効果を奏する。
【００５９】
（１）赤外線治療器を誤って転倒、落下させたりした場合でも、緩衝部により赤外線ヒータに衝撃が伝わることを可及的に防止でき、同ヒータのセラミックス部分にクラックが生じたりすることを防止することができる。
【００６０】
（２）前記緩衝部は、赤外線ヒータの取付軸を固着可能に形成した片持ち支持の緩衝用突片を具備することとしたので、簡単な構成で有効な衝撃緩和機能を果たすことができる。
【００６１】
（３）筒状ユニットケーシングを介して、赤外線ヒータ、緩衝部、温度過昇防止手段などを保持する取付板をヘッドケーシング内にユニット化して収納配設することができ、メンテナンスなどがきわめて容易となる。
【００６２】
（４）また、筒状の緩衝部材により、衝撃をより確実に吸収して緩衝機能を高めることができるとともに、かかる緩衝部材の熱伝導率が低いことから赤外線ヒータの熱がヘッドケーシングやその他の部品に伝わることも防止でき、熱による変形などを防止できる。
【００６３】
（５）前記環状固定板に配設した取付板は、温度過昇防止手段を取付けるための取付面を赤外線ヒータ側に膨出させているので、温度過昇防止手段を赤外線ヒータに可及的に近接させた状態で配設でき、ヒータの温度過昇に確実に反応させて安全性を向上させることができるとともに、取付板を配設した環状固定板は赤外線ヒータから可及的に遠ざけることが可能となる。しかも、取付面を膨出させた分だけその背面部の空間が広がるので、かかる空間内に赤外線ヒータからの配線等を通すことができ、ヘッドケーシング内の限られた空間を有効に利用でき、赤外線治療器全体のコンパクト化を図ることができる。
【図面の簡単な説明】
【図１】本発明に係る赤外線治療器の側面図である。
【図２】同治療器本体の断面図である。
【図３】同分解斜視図である。
【図４】他の実施例に係る緩衝部の説明図である。
【図５】他の実施例に係る緩衝部の説明図である。
【図６】本発明に係る赤外線治療器の一形態を示す説明図である。
【符号の説明】
Ａ  赤外線治療器
Ｄ  緩衝部
Ｅ  筒状ユニットケーシング
１  ヘッドケーシング
４  赤外線ヒータ
７  補助ヒータ
８  ファン
９  緩衝用突片
17  環状固定板
60  取付板
60a 取付面
70  遮熱ケーシング
91  緩衝部材
【図１】
0003831011.tif 000002
【図２】
0003831011.tif 000003
【図３】
0003831011.tif 000004
【図４】
0003831011.tif 000005
【図５】
0003831011.tif 000006
【図６】
0003831011.tif 000007